(57)【要約】【課題】電源のオンオフが装置切替えに応じて適切に行われるようにする機能を備えた電源制御装置、電源制御装置を備えた電源制御システムおよび電源制御方法を提供する。【解決手段】映像表示装置１１は、接続されている複数の外部装置のいずれかを映像表示用に切り替える装置切替手段と、装置切替手段により切り替えられた外部装置が待機状態であったときに、その外部装置の電源を起動して視聴状態にする起動制御を行う起動制御手段と、視聴状態にされていた外部装置を待機状態とする待機制御手段とを有している。【選択図】図３
2008079135.tif 000002
【特許請求の範囲】
【請求項１】
映像を表示する映像表示装置に適用される電源制御装置であって、
前記映像表示装置に接続されている複数の外部装置のいずれかを映像表示用に切り替える装置切替手段と、
該装置切替手段により切り替えられた前記外部装置が待機状態であったときに、該外部装置の電源を起動して視聴状態にする起動制御を行う起動制御手段とを有する電源制御装置。
【請求項２】
前記起動制御手段によって前記視聴状態にされた前記外部装置とは別の前記外部装置が前記装置切替手段によって切り替えられたときに、前記視聴状態にされていた前記外部装置を待機状態とする待機制御を行う待機制御手段を更に有する請求項１記載の電源制御装置。
【請求項３】
前記待機制御手段が前記外部装置を待機状態にするまでの待機時間を設定する待機時間設定手段を更に有する請求項２記載の電源制御装置。
【請求項４】
前記待機制御手段は、前記映像表示装置の電源が待機状態にされたときは、前記複数の外部装置をすべて待機状態にする請求項２または３項記載の電源制御装置。
【請求項５】
前記待機制御手段は、前記複数の外部装置のうちの前記起動制御手段によって前記視聴状態にされる前に電源投入済みであった視聴中外部装置を待機状態にしない請求項２〜４のいずれか一項記載の電源制御装置。
【請求項６】
前記起動制御手段による起動制御および前記待機制御手段による前記待機制御を行うか否かを切り替える制御切替手段を更に有する請求項２〜４のいずれか一項記載の電源制御装置。
【請求項７】
前記制御切替手段は、前記外部装置それぞれについて、前記起動制御および前記待機制御を行うか否かを切り替えるように構成されている請求項６記載の電源制御装置。
【請求項８】
前記起動制御手段および前記待機制御手段は、ＨＤＭＩ−ＣＥＣ規格に応じて作動するように構成されている請求項２〜７のいずれか一項記載の電源制御装置。
【請求項９】
映像を表示する映像表示装置と、該映像表示装置に接続されている複数の外部装置とを有し、前記映像表示装置により、前記複数の外部装置の電源を制御する電源制御システムであって、
前記映像表示装置は、前記複数の外部装置のいずれかを映像表示用に切り替える装置切替手段と、
該装置切替手段により切り替えられた前記外部装置が待機状態であったときに、該外部装置の電源を起動して視聴状態にする起動制御を行う起動制御手段とを有する電源制御システム。
【請求項１０】
映像を表示する映像表示装置に適用される電源制御方法であって、
前記映像表示装置に接続されている複数の外部装置のいずれかを映像表示用に切り替え、
切り替えられた前記外部装置が待機状態であったときに、該外部装置の電源を起動して視聴状態にする起動制御を行う電源制御方法。
【発明の詳細な説明】
【技術分野】
【０００１】
本発明は、映像表示機能を備えたテレビ、プロジェクタ、モニタなどの映像表示装置に適用される電源制御装置、電源制御装置を備えた電源制御システムおよび電源制御方法に関する。
【背景技術】
【０００２】
従来、放送波を受信して再生される映像信号または外部から入力される映像信号を用いて映像を表示するテレビ、プロジェクタ、モニタといった映像表示装置が知られている。また、ＤＶＤ（digital  versatile  Disk），ＨＤＤ（Hard  Disk  Drive）等の記録媒体に記録されているデジタルデータを読み取って映像信号を再生し、その再生された映像信号を映像表示装置に出力する映像再生装置も知られている。
【０００３】
従来、映像表示装置や映像再生装置では、一方の装置における電源のオン、オフを他方の装置において制御する機能が備えられていることがあった。例えば、特許文献１には、ビデオテープレコーダ内蔵のテレビにおいて、ビデオテープレコーダ用のチューナとテレビ用のチューナのうち、不要なチューナの電源をオフにすることが開示されている。
【０００４】
また、近年、映像表示装置や映像再生装置は、それぞれ多様な機種が実用化されるにいたっており、映像表示装置や映像再生装置を家庭内において相互に接続する家庭内ネットワークが構築される機会も多くなってきている。例えば、特許文献２には、ＨＡＶＩ（Home  Audio/video  Interoperability）規格にしたがい映像表示装置や映像再生装置を接続している家庭内ネットワークにおいて、一方の装置における電源のオン、オフを他方の装置において制御することが開示されている。
【特許文献１】特開平８−２９８６３６号公報
【特許文献２】特開２００３−１８６６８号公報
【発明の開示】
【発明が解決しようとする課題】
【０００５】
上記従来技術によれば、映像表示装置や映像再生装置について、一方の装置における電源のオン、オフを他方の装置において制御することが可能である。
【０００６】
しかし、映像表示装置に映像再生装置が複数接続されている場合において、映像表示に用いる映像再生装置を切り替える装置切替を行おうとしたときに、上記の従来技術を適用しても、ユーザが各映像再生装置について電源のオンオフを手作業で行わねばならないというわずらわしさは解消されなかった。
【０００７】
そこで、本発明は上記課題を解決するためになされたもので、電源のオンオフが装置切替えに応じて適切に行われるようにする機能を備えた電源制御装置、電源制御装置を備えた電源制御システムおよび電源制御方法を提供することを目的とする。
【課題を解決するための手段】
【０００８】
上記課題を解決するため、本発明は、映像を表示する映像表示装置に適用される電源制御装置であって、映像表示装置に接続されている複数の外部装置のいずれかを映像表示用に切り替える装置切替手段と、その装置切替手段により切り替えられた外部装置が待機状態であったときに、その外部装置の電源を起動して視聴状態にする起動制御を行う起動制御手段とを有する電源制御装置を特徴とする。
【０００９】
また、本発明は、映像を表示する映像表示装置と、その映像表示装置に接続されている複数の外部装置とを有し、映像表示装置により、複数の外部装置の電源を制御する電源制御システムであって、映像表示装置は、複数の外部装置のいずれかを映像表示用に切り替える装置切替手段と、その装置切替手段により切り替えられた外部装置が待機状態であったときに、その外部装置の電源を起動して視聴状態にする起動制御を行う起動制御手段とを有する電源制御システムを提供する。
【００１０】
さらに、本発明は、映像を表示する映像表示装置に適用される電源制御方法であって、映像表示装置に接続されている複数の外部装置のいずれかを映像表示用に切り替え、切り替えられた外部装置が待機状態であったときに、その外部装置の電源を起動して視聴状態にする起動制御を行う電源制御方法を提供する。
【発明の効果】
【００１１】
以上詳述したように、本発明によれば、電源のオンオフが装置切替に応じて適切に行われるようにする機能を備えた電源制御装置、電源制御装置を備えた電源制御システムおよび電源制御方法が得られる。
【発明を実施するための最良の形態】
【００１２】
以下、本発明の実施の形態について説明する。なお、同一要素には同一符号を用い、重複する説明は省略する。
【００１３】
図１は、本発明の実施の形態に係る電源制御システム１０の構成を示すブロック図である。電源制御システム１０は、映像表示装置としての後述するデジタル放送受信装置１１と、デジタル放送受信装置１１に接続される外部装置としてのＳＴＢ（Set-Top  Box）３５と、後述するＨＤ  ＤＶＤプレーヤ３６とを有している。
【００１４】
そして、デジタル放送受信装置１１が電源制御装置としての機能を有し、ＳＴＢ３５とＨＤ  ＤＶＤプレーヤ３６の電源のオンオフを制御するようになっている。
【００１５】
次に、図２は、デジタル放送受信装置１１と、デジタル放送受信装置１１を中心として構成されるネットワークシステム１００の構成を示すブロック図である。
【００１６】
デジタル放送受信装置１１は、図２に示すように、キャビネット１２と、キャビネット１２を起立させて支持する支持台１３とを有している。キャビネット１２は、液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１７】
デジタル放送受信装置１１は、映像を表示する表示手段としての液晶表示装置１４によって映像を表示する映像表示装置であって、ＳＴＢ３５やＨＤ  ＤＶＤプレーヤ３６から入力する映像信号を用いて映像を表示する。
【００１８】
デジタル放送受信装置１１は、例えばＳＤ（Secure  Digital）メモリカード、ＭＭＣ（Multi  media  Card）及びメモリスティック等のメモリカード１９が着脱可能となっており、このメモリカード１９を用いて番組や写真等の記録再生が行なわれるようになっている。
【００１９】
そして、デジタル放送受信装置１１は、第１のＬＡＮ（Local  Area  Network）端子２１、第２のＬＡＮ（Local  Area  Network）端子２２、第１のＨＤＭＩ（High-Definition  Multimedia  Interface）端子２３（図１における“ＨＤＭＩ１”）、第２のＨＤＭＩ（High-Definition  Multimedia  Interface）端子２４（図１における“ＨＤＭＩ２”）を有している。
【００２０】
これらの端子は、装置切替に対応して選択され、選択された端子に接続されている外部装置が映像表示用の外部装置に設定される。例えば、装置切替によって第１のＨＤＭＩ端子２３が選択されたときはＳＴＢ３５が映像表示用の外部装置に設定される。
【００２１】
第１のＬＡＮ端子２１は、ＬＡＮ対応ＨＤＤ専用ポートとして使用される。この第１のＬＡＮ端子２１は、接続されたＮＡＳ（Network  Attached  Storage）としてのＬＡＮ対応ＨＤＤ（Hard  Disk  Drive）２５に対して、イーサネット（登録商標）により情報の記録再生を行うために使用される。
【００２２】
このように、ネットワークシステム１００では、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なえるようになっている。
【００２３】
また、第２のＬＡＮ端子２２は、イーサネットを用いた一般的なＬＡＮ対応ポートとして使用される。この第２のＬＡＮ端子２２は、例えばハブ２６を介して、ＬＡＮ対応のＨＤＤ２７、ＰＣ（Personal  Computer）２８、ＨＤＤ内蔵のＤＶＤ（Digital  Versatile  Disk）レコーダ２９等の機器が接続され、これらの機器と情報伝送を行なうために使用される。
【００２４】
さらに、第２のＬＡＮ端子２２はハブ２６に接続されたブロードバンドルータ３１と、インターネット等のネットワーク３２を介してＰＣ３３や携帯電話３４が接続され、ＰＣ３３や携帯電話３４と情報伝送を行うためにも使用される。
【００２５】
そして、第１、第２のＨＤＭＩ端子２３、２４は、ＨＤＭＩ規格にしたがって、高精細のデジタル映像信号およびデジタル音声信号を外部装置から入力するための端子である。第１のＨＤＭＩ端子２３には外部装置としてＳＴＢ３５が接続され、第２のＨＤＭＩ端子２４にはＨＤ  ＤＶＤプレーヤ３６が接続される。
【００２６】
第１、第２のＨＤＭＩ端子２３，２４は、デジタル映像信号およびデジタル音声信号が外部装置との間でＨＤＭＩケーブル３７のデータライン３７ａを介して入出力される。また、第１、第２のＨＤＭＩ端子２３，２４は、デジタル放送受信装置１１と外部装置とにおける種々の制御機能（例えば、デジタル放送受信装置１１による外部装置の電源オンオフ制御）を実現するためのデータ（後述する“Power  On”コマンドや、“Power  off”コマンドなどの各コマンドなど）がＣＥＣライン３７ｂを介して入出力される。
【００２７】
ＳＴＢ３５は、図示しないケーブルテレビのネットワークに接続して番組を受信したり、図示しない電話回線に接続してインターネット接続を行う。ＳＴＢ３５は、映像信号をＨＤＭＩケーブル３７を介してデジタル放送受信装置１１に出力する。
【００２８】
ＨＤ  ＤＶＤプレーヤ３６は、ＨＤ  ＤＶＤ（High  Definition  ＤＶＤ）規格による映像の再生を行い、再生した映像信号をＨＤＭＩケーブル３７を介してデジタル放送受信装置１１に出力する。
【００２９】
デジタル放送受信装置１１は、第１、第２のＨＤＭＩ端子２３，２４によって、映像信号、音声信号および制御信号をデジタルのままで入力できるようになっている。
【００３０】
次に、図３を参照してデジタル放送受信装置１１の内部の構成について説明する。図３はデジタル放送受信装置１１の内部の主要な構成を示すブロック図である。
【００３１】
デジタル放送受信装置１１は、入力端子４４，４９、チューナ４５，５０，５２およびＰＳＫ（Phase  Shift  Keying）復調器４６を有している。また、デジタル放送受信装置１１は、信号処理部４７、ＯＦＤＭ（Orthogonal  Frequency  DivisionMultiplexing）復調器５１、アナログ復調器５３、グラフィック処理部５４、音声処理部５５、ＯＳＤ信号生成部５７および映像処理部５８を有している。
【００３２】
入力端子４４には、ＢＳ／ＣＳデジタル放送受信アンテナ４３で受信した衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選局する。
【００３３】
このチューナ４５で選局された放送信号はＰＳＫ復調器４６に供給される。ＰＳＫ復調器４６はデジタルの映像信号及び音声信号の復調処理を行い、信号処理部４７に出力する。
【００３４】
入力端子４９には、地上放送受信アンテナ４８で受信した地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選局する。
【００３５】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００３６】
また、入力端子４９には、地上放送受信アンテナ４８で受信した地上アナログ放送信号が入力される。地上アナログ放送信号は入力端子４９からチューナ５２に供給される。チューナ５２は地上アナログ放送用のチューナであって、供給される地上アナログ放送信号から、所望のチャンネルの放送信号を選局する。
【００３７】
このチューナ５２で選局された放送信号はアナログ復調器５３に供給される。アナログ復調器５３は、アナログの映像信号及び音声信号の復調処理を行い、信号処理部４７に出力する。
【００３８】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３９】
また、信号処理部４７には、複数（図示の場合は４つ）の入力端子５６ａ，５６ｂ，５６ｃ，５６ｄが接続されている。これら入力端子５６ａ〜５６ｄは、外部装置としてのＤＶＤレコーダ２９などから、アナログの映像信号及び音声信号を入力可能とするものである。
【００４０】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００４１】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００４２】
グラフィック処理部５４から出力されたデジタルの映像信号は、映像処理部５８に供給される。この映像処理部５８は、入力されたデジタルの映像信号を、液晶表示装置１４で表示可能なフォーマットのアナログ映像信号に変換した後、液晶表示装置１４に出力する。また、映像処理部５８はアナログ映像信号を出力端子５９ａを介して外部に導出する。
【００４３】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００４４】
そして、デジタル放送受信装置１１は、制御部６０と、カードホルダ６６および各種インターフェース（カードＩ／Ｆ６５，通信Ｉ／Ｆ６８，通信Ｉ／Ｆ６９，第１のＨＤＭＩＩ／Ｆ７０，第２のＨＤＭＩＩ／Ｆ７１，ＨＤＭＩ−ＣＥＣＩ／Ｆ７２を有している。
【００４５】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００４６】
ＣＰＵ６１は、ＲＯＭ６２に記憶されているプログラムにしたがい各種手段（装置切替手段、起動制御手段、待機制御手段など）として作動する一方、他の構成要素との信号の入出力を行い、デジタル放送受信装置１１全体の動作制御を行う。
【００４７】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報及び制御情報等が格納されている。
【００４８】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４９】
また、制御部６０は、通信Ｉ／Ｆ６８を介して第１のＬＡＮ端子２１に接続されている。これにより、制御部６０は、第１のＬＡＮ端子２１に接続されたＬＡＮ対応ＨＤＤ２５と、通信Ｉ／Ｆ６８を介して情報伝送を行うことができる。この場合、制御部６０は、ＤＨＣＰ（Dynamic  Host  Configuration  Protocol）サーバ機能を有し、ＬＡＮ端子２１に接続されたＬＡＮ対応ＨＤＤ２５にＩＰ（Internet  Protocol）アドレスを割り当てて制御している。
【００５０】
制御部６０は、通信Ｉ／Ｆ６９を介して第２のＬＡＮ端子２２に接続されている。これにより、制御部６０は、第２のＬＡＮ端子２２に接続されたＨＤＤ２７などの各装置と、通信Ｉ／Ｆ６９を介して情報伝送を行うことができる。
【００５１】
制御部６０は、第１のＨＤＭＩＩ／Ｆ７０およびＨＤＭＩ−ＣＥＣＩ／Ｆ７２を介して第１のＨＤＭＩ端子２３に接続され、第２のＨＤＭＩＩ／Ｆ７１およびＨＤＭＩ−ＣＥＣＩ／Ｆ７２を介して第２のＨＤＭＩ端子２４に接続されている。これにより、制御部６０は、第１，第２のＨＤＭＩ端子２３，２４に接続されているＳＴＢ３５およびＨＤ  ＤＶＤプレーヤ３６と、第１、第２のＨＤＭＩＩ／Ｆ７０，７１、ＨＤＭＩ−ＣＥＣＩ／Ｆ７２を介して情報伝送を行うことができる。
【００５２】
（動作内容の説明）
次に、以上の構成を有するデジタル放送受信装置１１が電源制御を実行するときの電源制御システムの動作内容について説明する。図４は、デジタル放送受信装置１１がＳＴＢ３５およびＨＤ  ＤＶＤプレーヤ３６の電源のオンオフを制御するときにおける各装置の動作シーケンスを示すシーケンスチャートである。
【００５３】
デジタル放送受信装置１１が電源制御を実行すると、デジタル放送受信装置１１に接続される外部装置（以下の説明では、ＳＴＢ３５およびＨＤ  ＤＶＤプレーヤ３６としている）の電源について、そのオンオフが装置切替に連動して自動的に行われる。なお、以下では、ＨＤＭＩ−ＣＥＣ（CONSUMER  ELECTRONICS  CONTROL）規格によるコマンドに応じてデジタル放送受信装置１１が作動する場合の電源制御について説明する。
【００５４】
（動作例１）
まず、図４に示すように、デジタル放送受信装置１１において、ユーザＵがリモートコントローラ１７を用いた所定の操作（以下「リモコン操作」という）を行い、第１、第２のＨＤＭＩ端子２３，２４のいずれかを選択する。ここでのリモコン操作は、ユーザＵがＳＴＢ３５およびＨＤ  ＤＶＤプレーヤ３６のいずれかを一方を視聴用に選択することを意味している。
【００５５】
このリモコン操作が行われると、デジタル放送受信装置１１では、ＣＰＵ６１が装置切替手段として作動して装置切替を行い、接続されている外部装置のいずれか１つを映像表示用に切り替える。すると、映像表示用に切り替えられた外部装置から出力される映像信号、音声信号がデジタル放送受信装置１１に入力され、映像が液晶表示装置１４に表示される。例えば、ユーザＵがリモコン操作で第１のＨＤＭＩ端子２３を選択すると、ＳＴＢ３５が映像表示用の外部装置に切り替えられ、ＳＴＢ３５から出力される映像信号を用いた映像が液晶表示装置１４に表示される。
【００５６】
このように、装置切替とは、デジタル放送受信装置１１に接続されている複数の外部装置（本実施の形態では、ＳＴＢ３５およびＨＤ  ＤＶＤプレーヤ３６）のいずれかを映像表示用に切り替えることを意味している。
【００５７】
ここで、図４に戻って、ユーザＵが第１のＨＤＭＩ端子２３を選択する選択操作Ｓ１を実行したとする。
【００５８】
この場合、デジタル放送受信装置１１では、チューナ４５、５０，５２のいずれかを用いて受信した放送波の映像表示ｒ０を行っていたとすると、ＳＴＢ３５は映像表示に用いられてなく、電源もオフ状態であった。そのため、デジタル放送受信装置１１は、コマンド出力ｒ１が行われるまでの期間Ｔ１において、放送波の映像表示ｒ０を行っていたところ、ＳＴＢ３５に対して、電源を起動するためのコマンド（“Power  On”）の出力ｒ１を行う（この場合、ＣＰＵ６０が“Power  On”コマンドを送信して起動制御を行っている）。
【００５９】
コマンド出力ｒ１が行われることにより、ＳＴＢ３５の電源が投入されてＳＴＢ３５は電源オン状態となり、視聴状態となる。そのため、デジタル放送受信装置１１はＳＴＢ３５を映像信号の入力ソースとする選択ｒ２を行い、ＳＴＢ３５から入力される映像信号を用いて映像表示ｒ３を行うようになる。
【００６０】
次に、ユーザＵが第２のＨＤＭＩ端子２４を選択する選択操作Ｓ２を実行したとする。この場合、デジタル放送受信装置１１がＳＴＢ３５から入力される映像信号を用いて映像表示ｒ３を行っていたため、ＨＤ  ＤＶＤプレーヤ３６は映像表示に用いられてなく、電源もオフ状態であった。そのため、デジタル放送受信装置１１は、ＨＤ  ＤＶＤプレーヤ３６に対して、電源を起動するためのコマンド（“Power  On”）の出力ｒ４を行う（この場合も、ＣＰＵ６０が“Power  On”コマンドを送信して起動制御を行っている）。
【００６１】
コマンド出力ｒ４が行われることにより、ＨＤ  ＤＶＤプレーヤ３６の電源が投入されて電源オン状態となり、視聴状態となる。そのため、デジタル放送受信装置１１は、ＨＤ  ＤＶＤプレーヤ３６を映像信号の入力ソースとする選択ｒ５を行い、ＨＤ  ＤＶＤプレーヤ３６から入力される映像信号を用いて映像表示ｒ６を行うようになる。
【００６２】
ところが、映像表示用の外部装置がＳＴＢ３５からＨＤ  ＤＶＤプレーヤ３６に切り替えられたことにより、ＳＴＢ３５は映像表示に用いられなくなる。そのため、デジタル放送受信装置１１はＳＴＢ３５に対し、電源をオフにして待機状態にするためのコマンド（“Power  off”）の出力ｒ７を行う（この場合、ＣＰＵ６０が“Power  off”コマンドを送信して待機制御を行っている）。
【００６３】
上記のようにして電源のオンオフが制御されることにより、ＳＴＢ３５はコマンド出力ｒ１が行われるまでの期間Ｔ１では電源オフ状態、コマンド出力ｒ１からコマンド出力ｒ７までの期間Ｔ２では電源オン状態、コマンド出力ｒ７以降は電源オフ状態となる。また、ＨＤ  ＤＶＤプレーヤ３６はコマンド出力ｒ４が行われるまでの期間Ｔ４では電源オフ状態、コマンド出力ｒ４以降は電源オン状態となる。
【００６４】
デジタル放送受信装置１１が以上のようにして電源制御を行うことにより、ＳＴＢ３５およびＨＤ  ＤＶＤプレーヤ３６の電源のオンオフが装置切替に連動して適切に制御され、映像表示に用いられていない外部装置の電源が自動的にオフにされるようになる。そのため、電源制御システム１０を構成する各装置の消費電力が低減されるようになる。
【００６５】
また、ユーザＵはＳＴＢ３５およびＨＤ  ＤＶＤプレーヤ３６の電源のオンオフを手作業で行う必要性がなくなるため、利便性が向上する。このように、デジタル放送受信装置１１が電源制御を行うことにより、デジタル放送受信装置１１、ＳＴＢ３５およびＨＤ  ＤＶＤプレーヤ３６が電源のオンオフに関してあたかも１つのシステムのように振る舞うようになる。
【００６６】
（動作例２）
次に、図５を参照してデジタル放送受信装置１１による電源制御の動作例２について説明する。この動作例２による電源制御では、ＳＴＢ３５とＨＤ  ＤＶＤプレーヤ３６の電源をオフにするまでの時間に差を持たせるようにしている。
【００６７】
動作例２は、動作例１と比較すると、デジタル放送受信装置１１が映像信号の選択ｒ５を行うまでの動作は同様である。
【００６８】
動作例１では、選択ｒ５が行われ、映像表示用の外部装置がＳＴＢ３５からＨＤ  ＤＶＤプレーヤ３６に切り替えられると、ＳＴＢ３５は映像表示に用いられなくなるから、デジタル放送受信装置１１がコマンド出力ｒ７を行い、ＳＴＢ３５を電源オフ状態（待機状態）にしていた。
【００６９】
ところが、ユーザＵが頻繁にリモコン操作を行うことによって装置切替が多発すると、ＳＴＢ３５とＨＤ  ＤＶＤプレーヤ３６の電源オンオフが頻繁に発生することになる。そのため、動作例２では、待機制御によって電源オフ状態にするまでの待機時間（Ｔｏｆｆ）が設定されている。この待機時間（Ｔｏｆｆ）は待機時間設定手段としてのＣＰＵ６１により設定され、ＣＰＵ６１がユーザＵの操作なく設定するか、またはユーザＵのリモコン操作に応じて設定している。
【００７０】
この待機時間に関し、動作例２では、Ｔ１０＜Ｔｏｆｆ＜Ｔ２０としている。ここで、Ｔ１０は、映像表示用の外部装置がＨＤ  ＤＶＤプレーヤ３６に切り替えられたときからの経過時間（ＳＴＢ３５が映像表示に用いられなくなったときからの経過時間）を示している。また、Ｔ２０は映像表示用の外部装置がＳＴＢ３５に切り替えられたときからの経過時間（ＨＤ  ＤＶＤプレーヤ３６が映像表示に用いられなくなったときからの経過時間）を示している。
【００７１】
そして、動作例２では、経過時間Ｔ１０が待機時間Ｔｏｆｆを越える前にユーザＵが第１のＨＤＭＩ端子２３を選択する選択操作Ｓ３を実行しているので、ここでは、コマンド出力ｒ７が行われてＳＴＢ３５の電源がオフになることはない。そのため、ＳＴＢ３５は、コマンド出力ｒ１があったときからの期間Ｔ６で電源オン状態になっている。また、選択操作Ｓ３を受けてデジタル放送受信装置１１では、ＳＴＢ３５を映像信号の入力ソースとする選択ｒ８が行われ、ＳＴＢ３５から入力される映像信号を用いて映像表示ｒ９が行われる。
【００７２】
その後、ユーザＵの選択操作が実行されないまま時間が経過していたところ、ユーザＵが第１のＨＤＭＩ端子２３を選択する選択操作Ｓ３を実行したことにより、ＨＤ  ＤＶＤプレーヤ３６はすでに映像表示に用いられなくなっている。そのため、デジタル放送受信装置１１は経過時間Ｔ２０が待機時間Ｔｏｆｆに一致したときに、待機状態にするためのコマンド（“Power  off”）の出力ｒ１０を行い、ＨＤ  ＤＶＤプレーヤ３６を電源オフ状態にする。
【００７３】
この場合、ＨＤ  ＤＶＤプレーヤ３６は、コマンド出力ｒ４があったときからコマンド出力ｒ１０までの期間Ｔ７で電源オン状態であり、コマンド出力ｒ１０以降の期間Ｔ８では電源オフ状態になる。
【００７４】
このようにしても、動作例１と同様に、ＳＴＢ３５およびＨＤ  ＤＶＤプレーヤ３６の電源のオンオフが装置切替に連動して適切に制御され、ユーザＵが視聴に用いていない外部装置の電源が自動的にオフにされるから、消費電力が低減される。また、ユーザＵはＳＴＢ３５およびＨＤ  ＤＶＤプレーヤ３６の電源のオンオフを手作業で行なう必要性がなくなるため、利便性が向上する。しかも、ＳＴＢ３５とＨＤ  ＤＶＤプレーヤ３６の電源オンオフが頻繁に発生しないようにすることができる。
【００７５】
（動作例３）
次に図６を参照してデジタル放送受信装置１１による電源制御の動作例３について説明する。この動作例３による電源制御の場合、デジタル放送受信装置１１は、ＳＴＢ３５とＨＤ  ＤＶＤプレーヤ３６の電源をオフにする前にそれぞれの動作状況を確認し、動作状況に応じて適切に電源をオンオフするようにしている。
【００７６】
動作例３は、動作例１と比較すると、デジタル放送受信装置１１が映像信号の選択ｒ５を行うまでの動作は同様である。
【００７７】
動作例１では、選択ｒ５が行われ、映像表示用の外部装置がＳＴＢ３５からＨＤ  ＤＶＤプレーヤ３６に切り替えられると、ＳＴＢ３５は映像表示に用いられなくなるから、デジタル放送受信装置１１がコマンド出力ｒ７を行い、ＳＴＢ３５を電源オフ状態（待機状態）にしていた。
【００７８】
ところが、ＳＴＢ３５はコマンド出力ｒ１の前から電源オン状態であり、しかも、映像表示用の外部装置がＳＴＢ３５からＨＤ  ＤＶＤプレーヤ３６に切り替えられた時点で、ＳＴＢ３５の映像信号を用いた予約録画が実行中であったとする。すなわち、選択ｒ５がＳＴＢ３５の予約録画期間Ｔｒｅｃで行われたため、ＳＴＢ３５が視聴中外部装置になっていたとする。このような状況にあるＳＴＢ３５を電源オフ状態にすると、予約録画に影響を及ぼすため、ＳＴＢ３５を電源オフ状態にすることは適切ではない。
【００７９】
そこで、デジタル放送受信装置１１は、コマンド出力ｒ７を行う前に、状況確認コマンド（“Give  Deck  Status”）の出力ｒ１１を行う。ＳＴＢ３５は、状況確認コマンドを受けると、状況通知コマンド（“Status  Request”）の出力ｒ１２を行う。この状況通知コマンドは予約録画中であることを示している。
【００８０】
そして、デジタル放送受信装置１１は、状況通知コマンドによってＳＴＢ３５が予約録画中であることが確認されるため、ＳＴＢ３５を待機状態にするためのコマンド（“Power  off”）を出力しない（コマンド出力ｒ７を実行しない）ように制御する。
【００８１】
こうすることにより、“Power  on”コマンドが出力される前に視聴状態になっていたＳＴＢ３５の電源が電源制御によってオフ状態にされないようになる。そのため、ＳＴＢ３５やＨＤ  ＤＶＤプレーヤ３６に対するユーザＵの望まない（意図しない）電源オフの実行が回避されることとなる。
【００８２】
（変形例）
本発明は、図７に示す電源制御システム８０についても適用することができる。電源制御システム８０はＡＶアンプ８１を有し、デジタル放送受信装置１１と、ＳＴＢ３５およびＨＤ  ＤＶＤプレーヤ３６とがＡＶアンプ８１を介して接続されている。この場合、デジタル放送受信装置１１は、ＡＶアンプ８１経由で映像表示用の外部装置が切り替えられたことを把握することができる。そのため、デジタル放送受信装置１１がＡＶアンプ８１経由で上記同様にして電源制御を行い、ＳＴＢ３５およびＨＤ  ＤＶＤプレーヤ３６の電源のオンオフを制御することができる。
【００８３】
また、デジタル放送受信装置１１は、自らの電源がオフ状態にされたときは、接続されている外部装置の電源をオフ状態にしてもよい。この場合、例えばＣＰＵ６１が図８に示すフローチャートに沿って動作を行うようにすればよい。
【００８４】
すなわち、ステップ１においてＣＰＵ６１は、デジタル放送受信装置１１の電源がオフにされたか否か（例えば、図８に示すように、デジタル放送受信装置１１の電源をオフするリモコン操作が行われたか否か）を判定する。そして、ＣＰＵ６１が、電源をオフにするリモコン操作が行われたと判定したときは処理をステップ２に進めて待機制御手段としての動作を行い、接続されているすべての外部装置に対し、“Power  off”コマンドを出力して処理を終了する。こうすると、デジタル放送受信装置１１の電源オフに連動して、接続されているすべての外部装置の電源を自動的にオフにすることができ、利便性が向上する。
【００８５】
さらに、デジタル放送受信装置１１は、上記の電源制御を行うか否かが切替られるようになっていてもよい。この場合、例えばＣＰＵ６１が図９に示すフローチャートにそって動作を行うようにすればよい。
【００８６】
すなわち、ＣＰＵ６１がステップ５で電源制御の設定が行われているか否かを判定する。そして、ＣＰＵ６１が、電源制御の設定が行われていると判定したときは処理をステップ６に進めて電源制御フラグをオンにして処理を終了する。また、ＣＰＵ６１は、制御切替手段としての動作を行い、上記の電源制御を行う前に電源制御フラグを参照して電源制御を行うか否かを切り替えればよい。
【００８７】
この場合、ＣＰＵ６１は、電源制御フラグがオンになっているときにだけ、上記の電源制御を実行するようにすればよい。電源制御の設定は、ユーザのリモコン操作に応じてＣＰＵ６１が設定手段としての動作を行うことによって行われればよい。電源制御を行うか否かの設定でよいが、その設定は、接続されている外部装置ごとに行われるようにしてもよい。このようにすると、電源制御を行うか否かをユーザが自由に設定できるようになる。
【００８８】
上記の実施形態では、電源制御装置を適用したデジタル放送受信装置１１を例にとって説明しているが、電源制御装置は、モニタ、プロジェクタなどの別の表示装置にも適用することもできる。
【００８９】
また、上記の実施形態では、ＨＤＭＩ−ＣＥＣ規格によるコマンドを用いて電源制御を行う場合を例にとって説明しているが、本発明は、別の規格（例えば、ＡＶ−Ｌｉｎｋ）にしたがったコマンドを用いても実現することができる。
【００９０】
上記の実施形態では、第１、第２のＨＤＭＩ端子２３，２４を経由する場合の電源制御を例にとって説明しているが、第１、第２のＬＡＮ端子２１，２２を経由する電源制御を実行することもできる。このような電源制御は、例えば、ＷＯＬ（Wake  On  LAN）を適用することによって実現可能である。ＷＯＬはＬＡＮに接続されたコンピュータをネットワーク経由で他のコンピュータから起動する機能を意味している。ＷＯＬを適用することにより、ＬＡＮに接続されたＤＶＤレコーダ２９等の外部装置をＬＡＮ経由でデジタル放送受信装置１１から起動できるようになる。
【００９１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００９２】
【図１】本発明の実施の形態に係る電源制御システムの構成を示すブロック図である。
【図２】ネットワークシステムの構成を示すブロック図である。
【図３】デジタル放送受信装置の内部の主要な構成を示すブロック図である。
【図４】デジタル放送受信装置がＳＴＢおよびＨＤ  ＤＶＤプレーヤの電源のオンオフを制御するときにおける各装置の動作シーケンスを示すシーケンスチャートである。
【図５】同じく別の動作シーケンスを示すシーケンスチャートである。
【図６】同じくさらに別の動作シーケンスを示すシーケンスチャートである。
【図７】別の電源制御システムの構成を示すブロック図である。
【図８】デジタル放送受信装置の電源がオフにされたときのPower  off”コマンドの出力動作の手順の一例を示すフローチャートである。
【図９】電源制御の設定に応じて電源制御フラグをオンにする動作手順の一例を示すフローチャートである。
【符号の説明】
【００９３】
１０，８０…電源制御システム、１１…デジタル放送受信装置
３５…ＳＴＢ、３６…ＨＤ  ＤＶＤプレーヤ
６０…制御部、６１…ＣＰＵ、１００…ネットワークシステム
【図１】
2008079135.tif 000003
【図２】
2008079135.tif 000004
【図３】
2008079135.tif 000005
【図４】
2008079135.tif 000006
【図５】
2008079135.tif 000007
【図６】
2008079135.tif 000008
【図７】
2008079135.tif 000009
【図８】
2008079135.tif 000010
【図９】
2008079135.tif 000011